【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
第２のノード（１２０）から状態報告を要求する第１のノード（１１０）における方法であって、前記第１のノード（１１０）および前記第２のノード（１２０）の両方が、無線通信ネットワーク（１００）内に含まれ、前記状態報告は、前記第１のノード（１１０）から送信され前記第２のノード（１２０）で受信されたデータに関する肯定または否定の確認応答の少なくとも何れか一方を備え、
前記方法は、
前記第２のノード（１２０）で受信される一連のデータユニットまたはデータユニットセグメントを送信する工程（３０６）を備え、前記方法は、
送信されたデータユニット数および前記送信されたデータユニットの送信されたデータバイト数をカウントする工程（３０７）と、
送信されたデータユニットの前記カウント数が第１の所定値に等しいかまたはそれを上回る場合、または前記送信されたデータユニットの送信されたデータバイトの前記カウント数が第２の所定値に等しいかまたはそれを上回る場合、前記第２のノードから状態報告を要求する工程（３１０）と、
をさらに備えることを特徴とする方法。
【請求項２】
前記第１のノード（１１０）は、前記送信されたデータユニット数をカウントするように構成された第１のカウンタ（４２１）と、前記送信されたデータユニットの送信されたデータバイト数をカウントするように構成された第２のカウンタ（４２２）とを備え、
前記カウントする工程（３０７）は、前記送信されたデータユニットの量に応じて前記第１のカウンタ（４２１）を調整する工程と、前記送信されたデータユニットの送信されたデータバイトの量に応じて前記第２のカウンタ（４２２）を調整する工程と、を備え、
前記方法は、
前記送信されたデータユニット数に関連する第１の所定値を取得する工程（３０４）と、
前記送信されたデータユニットの送信されたデータバイト数に関連する第２の所定値を取得する工程（３０５）と、
前記送信されたデータユニットの量に応じて前記第１のカウンタ（４２１）が増加されている場合、前記第１のカウンタ（４２１）の前記値を前記第１の所定値と比較し、前記送信されたデータユニットの量に応じて前記第１のカウンタ（４２１）が減少されている場合、前記第１のカウンタ（４２１）の前記値をゼロと比較する工程（３０８）と、
前記送信されたデータユニットの送信されたデータバイトの量に応じて前記第２のカウンタ（４２２）が増加されている場合、前記第２のカウンタ（４２２）の前記値を前記第２の所定値と比較し、前記送信されたデータユニットの送信されたデータバイトの量に応じて前記第２のカウンタ（４２２）が減少されている場合、前記第２のカウンタ（４２２）の前記値をゼロと比較する工程（３０９）と、
をさらに備えることを特徴とする請求項１に記載の方法。
【請求項３】
前記第１の所定値および前記第２の所定値は、無線リソース制御（ＲＲＣ）を含む高位のレイヤによって設定され、当該高位のレイヤから取得されることを特徴とする請求項１または２に記載の方法。
【請求項４】
前記カウントする工程は、前記送信されたデータユニットの量に応じて前記第１のカウンタ（４２１）を増加させる工程と、前記送信されたデータユニットの送信されたデータバイトの量に応じて前記第２のカウンタ（４２２）を増加させる工程とを備え、
前記第２のノード（１２０）に状態報告を要求する工程（３１０）は、前記第１のカウンタ（４２１）が前記第１の所定値に到達するかもしくはそれを上回る場合に、または前記第２のカウンタ（４２２）が前記第２の所定値に到達するかもしくはそれを上回る場合に実行されることを特徴とする請求項１乃至３の何れか１項に記載の方法。
【請求項５】
前記第１のカウンタ（４２１）をゼロに初期化する工程（３０１）と、
前記第２のカウンタ（４２２）をゼロに初期化する工程（３０２）と、
をさらに備えることを特徴とする請求項１乃至４の何れか１項に記載の方法。
【請求項６】
前記第１のカウンタ（４２１）をゼロにリセットする工程（３１１）と、
前記第２のカウンタ（４２２）をゼロにリセットする工程（３１２）と、
をさらに備えることを特徴とする請求項１乃至５の何れか１項に記載の方法。
【請求項７】
前記第１のカウンタ（４２１）を前記第１の所定値に初期化する工程（３０１）と、
前記第２のカウンタ（４２２）を前記第２の所定値に初期化する工程（３０２）と、
前記第１のカウンタ（４２１）を前記第１の所定値にリセットする工程（３１１）と、
前記第２のカウンタ（４２２）を前記第２の所定値にリセットする工程（３１２）と、を備え、
前記カウントする工程（３０７）は、前記送信されたデータユニットの量に応じて前記第１のカウンタ（４２１）を減少させる工程と、前記送信されたデータユニットの送信されたデータバイトの量に応じて前記第２のカウンタ（４２２）を減少させる工程と、を備え、
前記第２のノード（１２０）に状態報告を前記要求する工程（３１０）は、前記第１のカウンタ（４２１）がゼロに到達するかもしくはそれを下回る場合に、または前記第２のカウンタ（４２２）がゼロに到達するかもしくはそれを下回る場合に実行されることを特徴とする請求項１乃至３の何れか１項に記載の方法。
【請求項８】
設定されているかまたはアクティブな無線ベアラ数を取得する工程をさらに備え、
前記第２の所定値を取得する工程（３０５）は、バイト閾限界値を表すパラメータ値を取得する工程と、前記設定されているかまたはアクティブな無線ベアラ数の取得値で前記パラメータ値を分割する工程と、を備えることを特徴とする請求項１乃至７の何れか１項に記載の方法。
【請求項９】
前記第１のカウンタ（４２１）および前記第２のカウンタ（４２２）をリセットする工程（３１１、３１２）は、前記第１のカウンタ（４２１）が前記第１の所定値に到達するかもしくはそれを上回る場合に、または前記第２のカウンタ（４２２）が前記第２の所定値に到達するかもしくはそれを上回る場合に実行されることを特徴とする請求項６乃至８の何れか１項に記載の方法。
【請求項１０】
前記第１のノード（１１０）は、ユーザ装置であることを特徴とする請求項１乃至９の何れか１項に記載の方法。
【請求項１１】
前記第１のノード（１１０）は、基地局、無線ネットワーク制御装置（ＲＮＣ）、またはエヴォルブドノードＢ（ｅＮｏｄｅＢ）のユーザ装置によって代表されることを特徴とする請求項１乃至９の何れか１項に記載の方法。
【請求項１２】
第２のノード（１２０）から状態報告を要求する装置（４００）を備える第１のノード（１１０）であって、前記第１のノード（１１０）および前記第２のノード（１２０）の両方が、無線通信ネットワーク（１００）内に含まれ、前記状態報告は、前記第１のノード（１１０）から送信され前記第２のノード（１２０）で受信されたデータに関する肯定または否定の確認応答の少なくとも何れか一方を備え、前記装置（４００）は、
前記第２のノード（１２０）で受信される一連のデータユニットまたはデータユニットセグメントを送信するように構成される送信機（４０６）を備え、前記装置（４００）は、
送信されたデータユニット数および前記送信されたデータユニットの送信されたデータバイト数をカウントするように構成される計数メカニズム（４０７）と、
送信されたデータユニットの前記カウント数が第１の所定値に等しいかまたはそれを上回る場合、または前記送信されたデータユニットの送信されたデータバイトの前記カウント数が第２の所定値に等しいかまたはそれを上回る場合、前記第２のノードから状態報告を要求するように構成される要求部（４１０）と、
をさらに備えることを特徴とする第１のノード。
【請求項１３】
前記第１のノード（１１０）は、ユーザ装置であることを特徴とする請求項１２に記載の第１のノード。
【請求項１４】
前記第１のノード（１１０）は、基地局またはエヴォルブドノードＢ（ｅＮｏｄｅＢ）であることを特徴とする請求項１２に記載の第１のノード。
【請求項１５】
前記第１のノード（１１０）は、制御ノードまたは無線ネットワーク制御装置（ＲＮＣ）であることを特徴とする請求項１２に記載の第１のノード。